(57)【特許請求の範囲】
【請求項１】
スイッチレバーを引き操作することでモータを回転させ、そのモータの回転力により先端工具を動作させる電動工具本体と、その電動工具本体に取付け、取外し可能に構成された補助具とを備える電動工具であって、
前記電動工具本体には、前記スイッチレバーの引き操作により動作する動作部が設けられており、
前記補助具には、前記動作部の動作を非接触状態で検出する検出部と、
前記検出部の検出動作により、その補助具に設けられた電気機器を動作させる電気回路部とが設けられており、
前記補助具は、電動工具本体のハウジングの先端部を半径方向外側から締付けるリング状部材を備える連結部と、前記連結部に対して軸心回りに回転可能に連結されて、前記電気回路部の電池が収納される電池収納部と、前記連結部に対する前記電池収納部の回転を利用してナットを回転させ、そのナットと螺合しているボルトを軸方向に移動させ、そのボルトの移動によりリング状部材に締付け力を付与するボルト・ナット機構とを有し、
前記ボルトには、軸方向に貫通孔が形成されて、その貫通孔に前記電気回路部の配線が通されていることを特徴とする電動工具。
【請求項２】
請求項１に記載された電動工具であって、
前記電動工具本体の動作部は投光器であり、前記補助具の検出部は前記投光器の光を検出可能な受光センサであることを特徴とする電動工具。
【請求項３】
請求項１又は請求項２のいずれかに記載された電動工具であって、
前記電気機器は、前記電動工具本体の前方を照らす照明であることを特徴とする電動工具。
【請求項４】
請求項３に記載された電動工具であって、
前記連結部において、電動工具本体のハウジングを周方向から囲む部分に前記照明が取付けられていることを特徴とする電動工具。
【発明の詳細な説明】
【技術分野】
【０００１】
本発明は、スイッチレバーを引き操作することでモータを回転させ、そのモータの回転力により先端工具を動作させる電動工具本体と、その電動工具本体に取付け、取外し可能に構成された補助具とを備える電動工具に関する。
【背景技術】
【０００２】
特許文献１に記載の電動工具は、スイッチレバーを引き操作することでモータを回転させ、そのモータの回転力で先端工具を動作させる電動工具本体と、その電動工具本体に取付け、取外し可能に構成された補助ハンドルとを備えている。前記補助ハンドルには、フレキシブル性の延長部材を介して照明が取付けられており、その照明のスイッチが補助ハンドルの先端部分に設けられている。これより、延長部材で照明の向きを調整し、作業中に被加工物及び先端工具を照らすことができるようになる。
【０００３】
【特許文献１】特開２００２−２０５２８５号公報
【発明の開示】
【発明が解決しようとする課題】
【０００４】
上記した電動工具では、照明のスイッチが補助ハンドルに設けられている。このため、電動工具本体の操作とは別に前記照明のスイッチを操作する必要があり、前記スイッチの操作が煩わしいときがある。
【０００５】
本発明は、上記問題点を解決するためになされたものであり、本発明が解決しようとする課題は、電動工具本体のスイッチレバーの操作に連動して、その電動工具本体に取付けられた補助具の電気機器を動作できるようにし、前記電気機器の取扱い性を向上させることである。
【課題を解決するための手段】
【０００６】
上記した課題は、各請求項の発明によって解決される。
請求項１の発明は、スイッチレバーを引き操作することでモータを回転させ、そのモータの回転力により先端工具を動作させる電動工具本体と、その電動工具本体に取付け、取外し可能に構成された補助具とを備える電動工具であって、前記電動工具本体には、前記スイッチレバーの引き操作により動作する動作部が設けられており、前記補助具には、前記動作部の動作を非接触状態で検出する検出部と、前記検出部の検出動作により、その補助具に設けられた電気機器を動作させる電気回路部とが設けられており、前記補助具は、電動工具本体のハウジングの先端部を半径方向外側から締付けるリング状部材を備える連結部と、前記連結部に対して軸心回りに回転可能に連結されて、前記電気回路部の電池が収納される電池収納部と、前記連結部に対する前記電池収納部の回転を利用してナットを回転させ、そのナットと螺合しているボルトを軸方向に移動させ、そのボルトの移動によりリング状部材に締付け力を付与するボルト・ナット機構とを有し、前記ボルトには、軸方向に貫通孔が形成されて、その貫通孔に前記電気回路部の配線が通されていることを特徴とする。
【０００７】
本発明によると、電動工具本体にはスイッチレバーの引き操作により動作する動作部が設けられている。また、補助具には、動作部の動作を非接触状態で検出する検出部と、前記検出部の検出動作により、その補助具に設けられた電気機器を動作させる電気回路部とが設けられている。このため、電動工具本体のスイッチレバーの引き操作に連動して、その電動工具本体に取付けられた補助具の電気機器を動作させることができる。これにより、補助具の電気機器の取扱い性が向上する。
なお、補助具の検出部は電動工具本体の動作部の動作を非接触状態で検出できるため、電動工具本体に対する補助具の取付け、取外しを容易に行える。
また、補助具の連結部側に電気機器を設ける場合に、前記連結部に対する電池収納部の回転動作を妨げないように、電気回路部の配線スペースを確保できる。
【０００８】
請求項２の発明によると、電動工具本体の動作部は投光器であり、補助具の検出部は前記投光器の光を検出可能な受光センサであることを特徴とする。
このように、光によりスイッチレバーの引き操作信号を伝達できるため、非接触状態における情報伝達信頼性が高い。
請求項３の発明によると、電気機器は、前記電動工具本体の前方を照らす照明であることを特徴とする。
このため、スイッチレバーの引き操作により照明を点灯させることができ、暗い場所における電動工具の使い勝手が向上する。
【０００９】
請求項４の発明によると、連結部において、電動工具本体のハウジングを周方向から囲む部分に照明が取付けられていることを特徴とする。
このため、照明を電動工具本体のハウジングの周囲に配置でき、先端工具の周囲を照らし易くなる。
【発明の効果】
【００１０】
本発明によると、電動工具本体のスイッチレバーの操作に連動して、その電動工具本体に取付けられた補助具の電気機器を動作できるようになるため、前記電気機器の取扱い性が向上する。
【発明を実施するための最良の形態】
【００１１】
（実施形態１）
以下、図１から図５に基づいて、本発明の実施形態１に係る電動工具の説明を行う。本実施形態に係る電動工具は、サイドハンドル付の電動ドライバドリルであり、図１に前記電動ドライバドリル（以下、電動工具という）を左前方から見た斜視図、図２はその電動工具を右側から見た側面図が示されている。また、図３はサイドハンドルの外形図、図４はサイドハンドルの縦断面図、図５は電動工具本体、及びサイドハンドルに設けられた照明用の電気回路図である。
ここで、図中の前後左右及び上下は、電動工具の前後左右及び上下に対応している。
【００１２】
＜電動工具の概要について＞
本実施形態に係る電動工具は、図１、図２に示すように、電動工具本体１０と、その電動工具本体１０のハウジング本体部１１の前部に取付けられたサイドハンドル２０とから構成されている。
電動工具本体１０は、筒状のハウジング本体部１１と、そのハウジング本体部１１の下面側から下方に突出するように形成されたグリップ部１２とを備えている。そして、前記グリップ部１２の上端位置（基端部）に、使用者が指先で引き操作するトリガ形式のスイッチレバー１３が設けられている。また、グリップ部１２の下端部（先端部）には、電動工具本体１０の電源となるバッテリ１７が連結されるバッテリ連結部１２ｈが設けられている。
電動工具本体１０のハウジング本体部１１には、先端部分に先端工具（図示省略）の回転トルクを調整するための筒状のチェンジリング１５が軸心回りに回転可能な状態で装着されている。また、チェンジリング１５の先端からは前記スピンドル（図示省略）の先端部が軸方向に突出しており、そのスピンドルの先端部周囲に前記先端工具を把持するチャック１４が装着されている。
さらに、ハウジング本体部１１には、チェンジリング１５の後方位置にサイドハンドル２０が取付けられる環状溝部１１ｍが形成されている。
即ち、ハウジング本体部１１が本発明のハウジングに相当する。
【００１３】
前記ハウジング本体部１１の下面側には、図２に示すように、環状溝部１１ｍの後方位置で下方に段差状に突出する角部１１ｋが設けられており、この角部１１ｋの位置に照明用の工具側ＬＥＤ１９が前方を指向した状態で収納されている。
工具側ＬＥＤ１９は、後記するサイドハンドル２０の受光センサ５５に対して光を照射するための信号伝達用投光器として利用される。工具側ＬＥＤ１９は、図５の電気回路図に示すように、電動工具本体１０のスイッチレバー１３が引き操作されてスイッチ検出部１３ｐが動作したときに点灯するように構成されている。ここで、図５における制御部１３ｃはスイッチ検出部１３ｐの動作信号を一定時間保持する部分である。また、電源部は電動工具本体１０のバッテリ１７であり、モータ部はスピンドル、チャック１４、及び先端工具を回転させるためのモータ、及びそのモータを駆動させる駆動部を表している。
即ち、工具側ＬＥＤ１９が本発明の動作部に相当する。
【００１４】
＜サイドハンドル２０について＞
サイドハンドル２０は、片手で電動工具本体１０のグリップ部１２を把持した作業者が他方の手でその電動工具本体１０の前部を支える際に使用される補助具である。前記サイドハンドル２０は、図３等に示すように、連結部３０と把持部４０とから構成されている。連結部３０は、サイドハンドル２０を電動工具本体１０に対して固定するための部分であり、図４に示すように、一部開放形のリング状に形成されたグリップスプリング３２と、そのグリップスプリング３２を支持するケース部３３とを備えている。
グリップスプリング３２は、電動工具本体１０のハウジング本体部１１に形成された環状溝部１１ｍを半径方向外側から締付可能に構成された板バネ状のスプリングである。グリップスプリング３２は、リング状部分３２ｅと、そのリング状部分３２ｅの両端位置で半径方向外側に曲げられた平行板部３２ｓとから構成されている。そして、グリップスプリング３２の両平行板部３２ｓが互いに平行な状態で、ケース部３３の中央角筒部３４（後記する）に軸方向に摺動可能な状態で収納されている。また、ケース部３３の中央角筒部３４には、ボルト２５の角形頭部２５ｈが軸方向に摺動可能な状態で収納されており、そのボルト２５の角形頭部２５ｈにグリップスプリング３２の両平行板部３２ｓが係合している。即ち、グリップスプリング３２の両平行板部３２ｓは、ボルト２５と共に軸方向に移動可能となる。
また、グリップスプリング３２のリング状部分３２ｅの内周面には、ハウジング本体部１１の環状溝部１１ｍを半径方向外側から押圧する突起３２ｔが形成されている。
【００１５】
ケース部３３は、グリップスプリング３２におけるリング状部分３２ｅの円周方向一部分を露出させた状態で、そのグリップスプリング３２を収納支持できるように構成されている。ケース部３３は、図３、図４に示すように、上記した中央角筒部３４を同軸の状態で収納する断面角形の胴部３５と、その胴部３５の基端部側（電動工具本体１０側）に形成された円弧状の上側アーム３６、下側アーム３７と、前記胴部３５の先端側に形成されたフランジ部３８とから構成されている。上側アーム３６の内周面３６ｆ、下側アーム３７の内周面３７ｆ及び胴部３５の基端面３５ｆは、図３、図４に示すように、等しい曲率半径の円弧状に形成されて互いに連続している。そして、上側アーム３６の内周面３６ｆ、下側アーム３７の内周面３７ｆ及び胴部３５の基端面３５ｆが電動工具本体１０のハウジング本体部１１の環状溝部１１ｍを覆えるように構成されている。また、上側アーム３６の内周面３６ｆ、下側アーム３７の内周面３７ｆには、ハウジング本体部１１の環状溝部１１ｍを半径方向外側から押圧する突起３６ｘ，３７ｘが形成されている。
【００１６】
ケース部３３の前面側（図３において手前側）には、上側アーム３６の先端部、下側アーム３７の基端部（胴部３５との境界位置）、及び下側アーム３７の先端部にそれぞれ照明用の第１ＬＥＤ５１、第２ＬＥＤ５２及び第３ＬＥＤ５３が前方を指向した状態で取付けられている。
また、ケース部３３の背面側には、図２、図４に示すように、下側アーム３７の中央部分に上記した工具側ＬＥＤ１９の光を受ける受光センサ５５が取付けられている。即ち、前記受光センサ５５が本発明の検出部に相当する。
第１ＬＥＤ５１、第２ＬＥＤ５２、第３ＬＥＤ５３及び受光センサ５５の配線５７は、図４に示すように、前記ボルト２５の軸心方向に形成された貫通孔２５ｋに通された状態で把持部４０側に導かれている。
【００１７】
把持部４０は、サイドハンドル２０において作業者が実際に把持する部分である。把持部４０は、ケース部３３のフランジ部３８に対して軸心回りに回転可能な状態で接合されるフランジ部４１と、把持本体部４３と、照明用の電気回路部の電源となる電池ケース４７とから構成されている。把持部４０のフランジ部４１には、図４に示すように、ケース部３３のボルト２５が通される貫通孔４１ｈが形成されており、その貫通孔４１ｈの端部に前記ボルト２５が螺合するナット２７が固定されている。これにより、ケース部３３に対して把持部４０を軸心回りに回転させることで、ボルト２５に対してナット２７が螺合し、前記ボルト２５が軸方向に移動するようになる。そして、前記ボルト２５がグリップスプリング３２の両平行板部３２ｓを軸方向に進退させることで、前記グリップスプリング３２によりハウジング本体部１１の環状溝部１１ｍを締付けたり、あるいは緩めたりできるようになる。
即ち、グリップスプリング３２が本発明のリング状部材に相当し、ボルト２５とナット２７が本発明のボルト・ナット機構に相当する。
【００１８】
把持部４０の把持本体部４３内には、図４に示すように、電池ケース４７が収納される電池収納部４４が設けられている。
照明用の電気回路部は、図５に示すように、受光センサ５５と、制御部５８と、第１〜第３ＬＥＤ５１，５２，５３及びスイッチング素子を備えるＬＥＤ点灯部と、電源部（電池ケース）４７とから構成されている。そして、受光センサ５５が工具側ＬＥＤ１９の光を受けてオンすると、そのオン信号が制御部５８に入力される。制御部５８は、前記オン信号を予め決められた時間だけ保持し、その時間保持したオン信号をＬＥＤ点灯部のスイッチング素子に出力する。これにより、前記スイッチング素子が予め決められた時間だけ導通し、第１〜第３ＬＥＤ５１，５２，５３が点灯する。
即ち、把持部４０が本発明の電池収納部に相当する。
【００１９】
＜電動工具の使用について＞
電動工具を使用する際には、電動工具本体１０に対してサイドハンドル２０を取付ける。
この場合、先ず、サイドハンドル２０の把持部４０を連結部３０のケース部３３に対して左回転させ、グリップスプリング３２を押す方向にボルト２５を移動させる。これにより、グリップスプリング３２と、ケース部３３の上側アーム３６、下側アーム３７及び胴部３５の基端面３５ｆにより構成される環状部分の内径が大きくなり、その部分に電動工具本体１０のハウジング本体部１１の先端部を通せるようになる。次に、サイドハンドル２０のケース部３３に設けられた受光センサ５５に対して電動工具本体１０のハウジング本体部１１に設けられた工具側ＬＥＤ１９が対向するように、前記ハウジング本体部１１の先端部をサイドハンドル２０のグリップスプリング３２等に通す。この状態で、サイドハンドル２０の把持部４０を連結部３０のケース部３３に対して右回転させる。これにより、グリップスプリング３２を引っ張る方向にボルト２５が移動し、電動工具本体１０のハウジング本体部１１の環状溝部１１ｍがグリップスプリング３２によって締付けられる。この状態で、電動工具本体１０に対するサイドハンドル２０の取付けが完了する。
【００２０】
電動工具本体１０にサイドハンドル２０を取付けた状態で、スイッチレバー１３を引くと、図５に示すスイッチ検出部１３ｐが動作して工具側ＬＥＤ１９が点灯する。さらに、電動工具本体１０のモータが回転して、その電動工具本体１０のスピンドル、及び先端工具が回転する。
前記工具用ＬＥＤ１９が点灯すると、工具用ＬＥＤ１９の光を受けて受光センサ５５がオンし、そのオン信号が制御部５８に入力される。制御部５８は、前記オン信号を時間保持した状態でＬＥＤ点灯部のスイッチング素子に出力し、第１〜第３ＬＥＤ５１，５２，５３を予め決められた時間点灯させる。
これにより、第１〜第３ＬＥＤ５１，５２，５３で先端工具の周囲及び被加工部材を照らせるようになる。
【００２１】
＜本実施形態に係る電動工具の長所について＞
本実施形態に係る電動工具によると、電動工具本体１０にはスイッチレバー１３の引き操作により点灯動作する工具側ＬＥＤ１９（動作部）が設けられている。また、サイドハンドル２０（補助具）には、工具側ＬＥＤ１９の点灯動作を非接触状態で検出する受光センサ５５（検出部）と、受光センサ５５の検出動作により、そのサイドハンドル２０に設けられた第１〜第３ＬＥＤ５１，５２，５３を動作させる電気回路部とが設けられている。このため、電動工具本体１０のスイッチレバー１３の引き操作に連動して、その電動工具本体１０に取付けられたサイドハンドル２０の第１〜第３ＬＥＤ５１，５２，５３を動作させることができる。これにより、サイドハンドル２０の第１〜第３ＬＥＤ５１，５２，５３の取扱い性が向上する。また、暗い場所における電動工具の使い勝手が向上する。
なお、サイドハンドル２０の受光センサ５５は電動工具本体１０の工具側ＬＥＤ１９の点灯動作を非接触状態で検出できるため、電動工具本体１０に対するサイドハンドル２０の取付け、取外しを容易に行える。
【００２２】
また、光でスイッチレバー１３の引き操作信号を伝達できるため、非接触状態における情報伝達信頼性が高い。
また、サイドハンドル２０のボルト・ナット機構を構成するボルト２５には、軸方向に貫通孔２５ｋが形成されて、その貫通孔２５ｋに電気回路部の配線５７が通されている。このため、サイドハンドル２０の連結部３０側に照明を設け、把持部４０側に電池４７を収納する構成の場合でも、連結部３０に対する把持部４０の回転動作を妨げないように、電気回路部の配線スペースを確保できる。
また、第１〜第３ＬＥＤ５１，５２，５３を電動工具本体１０のハウジング本体部１１の周囲に配置できるため、先端工具の周囲を照らし易くなる。
【００２３】
＜変更例＞
ここで、本発明は上記実施形態に限定されるものではなく、本発明の要旨を逸脱しない範囲における変更が可能である。例えば、本実施形態では、スイッチレバー１３の引き操作により動作する電動工具本体１０側の動作部を工具側ＬＥＤ１９とし、サイドハンドル２０側の検出部を受光センサ５５とする例を示した。しかし、工具側ＬＥＤ１９の代わりに、例えば、チャック１４の円周方向一ヶ所に設けられた磁石を使用し、受光センサ５５の代わりに磁気センサを使用して、前記チャック１４の回転からスイッチレバー１３の引き操作信号を検出する構成も可能である。また、サイドハンドル２０側の検出部として電動工具本体１０のモータの回転やギヤ音（振動）を検出する受音マイク（加速度センサ）等を使用し、スイッチレバー１３の引き操作信号を検出する構成も可能である。
【００２４】
また、サイドハンドル２０の連結部３０に対して把持部４０の全体を回転させてグリップスプリング３２を締付ける例を示したが、例えば、把持部４０のフランジ部４１のみが回転する構成にしてそのフランジ部４１によりグリップスプリング３２を締付けるようにすることも可能である。これにより、ボルト２５の貫通孔２５ｋに通された配線５７の捻じれを防止できる。
また、サイドハンドル２０の把持部４０に照明用電気回路部の電池ケース４７を設置する例を示したが、電池ケース４７の代わりにボタン電池等を使用して、そのボタン電池等をサイドハンドル２０のケース部３３内に設ける構成も可能である。さらに、照明用電気回路部の電源を電動工具本体１０側から供給することも可能である。
また、スイッチレバー１３の引き操作によりサイドハンドル２０側の照明（第１〜第３ＬＥＤ５１，５２，５３）を点灯させる例を示したが、照明用電気回路部を改良し、所定時間内におけるスイッチレバー１３の引き操作回数等から照明（第１〜第３ＬＥＤ５１，５２，５３）の明るさ等を切替えることも可能である。
また、サイドハンドル２０の電気機器として照明（第１〜第３ＬＥＤ５１，５２，５３）を例示したが、照明の代わりに、例えば、被加工物までの距離を検出する距離センサ等を使用することも可能である。
また、補助具としてサイドハンドル２０を例示したが、サイドハンドル２０の代わりに、例えば、電動ドリルの穴あけ深さを調節するデプスゲージ等を使用する構成も可能である。
【図面の簡単な説明】
【００２５】
【図１】本発明の実施形態１に係る電動工具を左前方から見た斜視図である。
【図２】前記電動工具を右側から見た側面図である。
【図３】サイドハンドルの外形図である。
【図４】サイドハンドルの縦断面図である。
【図５】電動工具本体、及びサイドハンドルに設けられた照明用電気回路図である。
【符号の説明】
【００２６】
１０・・・・電動工具本体
１１・・・・ハウジング本体部（ハウジング）
１１ｍ・・・環状溝部
１３・・・・スイッチレバー
１９・・・・工具側ＬＥＤ（動作部）
２０・・・・サイドハンドル
２５・・・・ボルト
２５ｋ・・・貫通孔
２７・・・・ナット
３０・・・・連結部
３２・・・・グリップスプリング
３２ｅ・・・リング状部分
３３・・・・ケース部
４０・・・・把持部
４７・・・・電池
５１・・・・第１ＬＥＤ
５２・・・・第２ＬＥＤ
５３・・・・第３ＬＥＤ
５５・・・・受光センサ（検出部）
【図１】
0005047853.tif 000002
【図２】
0005047853.tif 000003
【図３】
0005047853.tif 000004
【図４】
0005047853.tif 000005
【図５】
0005047853.tif 000006